(57)【特許請求の範囲】
【請求項１】
キャビネットと、
前記キャビネットに開閉可能に装着されたドロワと、
を備え、
前記ドロワは、
硬貨を収納可能な硬貨収納部を有する硬貨収納部材と、
商取引の決済に使用される紙媒介物を収納可能であって、前記硬貨収納部の下方に位置する第１の紙収納部を有し、上部に前記硬貨収納部材を着脱可能に装着する紙収納部材と、
前記ドロワの底部に立設された仕切り壁によって分割されていて前記紙媒介物を収納可能であって、前記第１の紙収納部の下方に位置する第２の紙収納部を有し、前記紙収納部材の下方に位置して前記キャビネットに対して開閉可能な紙幣トレイと、
上部に前記紙収納部材が設けられ、前記紙幣トレイを前記紙収納部材と底部との間に開閉可能に装着した装着部と、
を備えるドロワ装置。
【請求項２】
前記硬貨収納部、前記第１の紙収納部および前記第２の紙収納部は、上方に開口しているとともに、相互に相対移動可能となっている請求項１に記載のドロワ装置。
【請求項３】
前記紙収納部材は、複数の前記第１の紙収納部を有し、
前記硬貨収納部材は、複数の前記硬貨収納部を有し、
前記紙幣トレイは、複数の前記第２の紙収納部を有する請求項２に記載のドロワ装置。
【請求項４】
前記複数の第１の紙収納部は、前記紙幣トレイの開閉方向と直交する前記紙幣トレイの幅方向に並べて設けられ、
前記硬貨収納部材は、前記幅方向に並べて設けられた複数の前記硬貨収納部を有し、
前記複数の第２の紙収納部は、前記幅方向に並べて設けられている請求項３に記載のドロワ装置。
【請求項５】
前記硬貨収納部材は、前記紙幣トレイの開閉方向に沿って複数設けられ、
前記複数の硬貨収納部材によって前記複数の第１の紙収納部が覆われる請求項３または４に記載のドロワ装置。
【発明の詳細な説明】
【技術分野】
【０００１】
本発明の実施形態は、ドロワ装置に関する。
【背景技術】
【０００２】
従来、紙幣や硬貨、商品券などを収納可能なドロワを備えたドロワ装置が知られている。このようなドロワ装置は、例えばＰＯＳ端末とともに店舗のレジカウンター等に設置されて使用される。
【発明の概要】
【発明が解決しようとする課題】
【０００３】
このようなドロワ装置は、その設置面積をより小さくすることが望まれている。
【課題を解決するための手段】
【０００４】
実施形態のドロワ装置は、キャビネットと、前記キャビネットに開閉可能に装着されたドロワと、を備える。前記ドロワは、硬貨を収納可能な硬貨収納部を有する硬貨収納部材と、商取引の決済に使用される紙媒介物を収納可能であって、前記硬貨収納部の下方に位置する第１の紙収納部を有し、上部に前記硬貨収納部材を着脱可能に装着する紙収納部材と、前記ドロワの底部に立設された仕切り壁によって分割されていて前記紙媒介物を収納可能であって、前記第１の紙収納部の下方に位置する第２の紙収納部を有し、前記紙収納部材の下方に位置して前記キャビネットに対して開閉可能な紙幣トレイと、上部に前記紙収納部材が設けられ、前記紙幣トレイを前記紙収納部材と底部との間に開閉可能に装着した装着部と、を備える。
【図面の簡単な説明】
【０００５】
【図１】図１は、第１の実施形態にかかるドロワ装置を示す斜視図である。
【図２】図２は、第１の実施形態にかかるドロワ装置を示す斜視図であって、第１のドロワが開放された状態を示す図である。
【図３】図３は、第１の実施形態にかかるドロワ装置を示す斜視図であって、第１のドロワが開放されて硬貨収納ケースが取り外された状態を示す図である。
【図４】図４は、第１の実施形態にかかるドロワ装置を示す図であって、第１および第２のドロワが開放された状態を示す図である。
【図５】図５は、第１の実施形態にかかる第１のドロワを後方から見て示す斜視図であって、第２のドロワが開放された状態を示す図である。
【図６】図６は、第１の実施形態にかかる第１のドロワの一部を示す側面図であって、第２のドロワが開放された状態を示す図である。
【図７】図７は、第１の実施形態にかかるドロワ装置を示す斜視図であって、第１および第２のドロワが開放された状態のキャビネットの内部を示す図である。
【図８】図８は、第１の実施形態にかかる第１のドロワとコイルばねとを後方から見て示す斜視図である。
【図９】図９は、第１の実施形態にかかる第１のドロワとコイルばねとを示す側面図である。
【図１０】図１０は、第１の実施形態にかかるキャビネットを示す斜視図である。
【図１１】図１１は、第１の実施形態にかかる硬貨収納ケースを示す斜視図である。
【図１２】図１２は、第１の実施形態にかかるマネーケースを示す斜視図である。
【図１３】図１３は、第１の実施形態にかかる紙幣トレイを示す斜視図である。
【図１４】図１４は、第１の実施形態にかかるキャッシュボックスを示す斜視図である。
【図１５】図１５は、第２の実施形態にかかるドロワ装置を示す斜視図であって、第１のドロワが開放された状態を示す図である。
【図１６】図１６は、第２の実施形態にかかるドロワ装置を示す斜視図であって、第１および第２のドロワが開放されて一つの硬貨収納ケースが取り外された状態を示す図である。
【発明を実施するための形態】
【０００６】
以下、図面を参照して、実施形態にかかるドロワ装置について詳細に説明する。なお、以下の複数の実施形態には、同様の構成要素が含まれている。よって、以下では、それら同様の構成要素には共通の符号を付与するとともに、重複する説明を省略する。また、各図では、便宜上、ドロワ装置１の第１のドロワ３の開閉方向の開方向をＸ方向、第１のドロワ３の幅方向をＹ方向、第１のドロワ３の高さ方向をＺ方向と記す。これらＸ方向、Ｙ方向、およびＺ方向は相互に直交している。なお、第１のドロワ３の幅方向は、第１のドロワ３の開方向と直交する方向である。
【０００７】
（第１の実施形態）
図１に示すように、ドロワ装置１は、キャビネット２と、キャビネット２に開閉可能（出入り可能）に装着された第１のドロワ３と、を備える。キャビネット２には、例えばＰＯＳ端末等のホスト装置（図示せず）が載置される。
【０００８】
図２に示すように、第１のドロワ３は、開放されることで内部が露出する。第１のドロワ３は、硬貨を収納可能な複数の硬貨収納ケース４と、この硬貨収納ケース４を着脱可能に装着するマネーケース５と、を有する。硬貨収納ケース４は、第１のドロワ３の開閉方向に沿って複数（具体的には３個）設けられている。硬貨収納ケース４は、硬貨収納部材である。マネーケース５は、図３に示すように、硬貨収納ケース４が取り外されることで内部が露出する。マネーケース５は、商取引の決済に使用される紙媒介物を収納可能であり、紙収納部材および第１の収納部である。紙媒介物は、紙幣や商品券等である。
【０００９】
また、図４ないし図６に示すように、第１のドロワ３は、第２のドロワとしての紙幣トレイ６を備える。紙幣トレイ６は、第１のドロワ３に設けられた装着部７に、開閉可能（出入り可能）に装着されている。装着部７は、マネーケース５と、このマネーケース５が上部に固定されたベース部材としてのキャッシュボックス８と、を有して、前面開口の箱状に構成されている。紙幣トレイ６は、開放されることで内部が露出する。紙幣トレイ６は、第２の収納部である。
【００１０】
また、図６や図８に示すように、第１のドロワ３、詳しくは紙幣トレイ６には、ロック部９の一部を構成する軸１０が設けられている。ロック部９は、第１のドロワ３をロック解除可能にキャビネット２にロックするとともに、紙幣トレイ６をロック解除可能に装着部７にロックするものである。ロック部９は、軸１０の他に、キャビネット２の内部に設けられた係脱機構（図示せず）を有する。係脱機構は、軸１０に係脱可能な可動フックと、この可動フックが軸１０に係合する方向に可動フックを付勢するロック用ばねと、ロック用ばねの付勢力に抗して可動フックを軸１０から離脱させるアクチュエータと、を有する。アクチュエータは、例えばソレノイドである。可動フックが軸１０に係合している状態では、紙幣トレイ６が装着部７にロックされているとともに、第１のドロワ３がキャビネット２にロックされている。また、図７ないし図９に示すように、キャビネット２の内部には、第１のドロワ３を開方向に付勢する付勢部材としてのコイルばね１１が設けられている。コイルばね１１の後端部は、キャビネット２に設けられたばね支持部２ｈ（図７）に支持されている。このコイルばね１１は、第１のドロワ３がキャビネット２にロックされた状態では、圧縮状態となっており、第１のドロワ３、詳しくはキャッシュボックス８の後端部を前方に向けて押圧している。コイルばね１１は、ロック部９によるキャビネット２に対する第１のドロワ３のロックが解除された場合、第１のドロワ３を開放させる開放部である。
【００１１】
上記の構造では、ＰＯＳ端末等のホスト装置からの開信号を受けた制御回路（図示せず）がアクチュエータを駆動して可動フックを軸１０から離脱させる。これにより、コイルばね１１に押されて第１のドロワ３が開放される。この状態では、紙幣トレイ６が開方向に引き出し可能となっている。この状態から、紙幣トレイ６を含む第１のドロワ３が押し込まれると、その過程で可動フックが軸１０に係合し、第１のドロワ３と紙幣トレイ６とが閉じ状態でロックされる。
【００１２】
以下、ドロワ装置１の各部を詳細に説明する。
【００１３】
図１０に示すように、キャビネット２は、前面開口の直方体状に形成されている。キャビネット２は、底壁２ａと、左右一対の側壁２ｂと、後壁２ｃと、上壁２ｄと、を有している。キャビネット２の前面には、開口２ｅが設けられており、この開口２ｅに第１のドロワ３が挿入されている。一対の側壁２ｂには、レール２ｆが設けられており、これらのレール２ｆで、第１のドロワ３を開閉方向に沿ってスライド可能に支持している。
【００１４】
図１１に示すように、硬貨収納ケース４は、硬貨を収納可能な複数（具体的には２個）の硬貨収納部４ａを有する。硬貨収納部４ａは、第３の収納部である。硬貨収納部４ａは、第１のドロワ３の幅方向に沿って並列して設けられている。硬貨収納部４ａは、硬貨収納ケース４の上面に対して凹状をなしており、上方に開口している。本実施形態では、硬貨収納ケース４は、３個設けられているので（図２参照）、硬貨収納部４ａは、合計６個設けられている。このように複数の硬貨収納部４ａが設けられていることで、各硬貨収納部４ａに金種別に硬貨を収納可能となっている。硬貨収納ケース４の上縁部には、フランジ４ｂが設けられており、このフランジ４ｂがマネーケース５に支持されることで、硬貨収納ケース４がマネーケース５に装着される。
【００１５】
図１２に示すように、マネーケース５は、紙媒介物として紙幣や商品券等を収納可能な複数（具体的には２個）の第１の紙収納部５ａを有する。第１の紙収納部５ａは、上方に開口している。本実施形態では、例えば、一方の第１の紙収納部５ａには、ドロワ装置１が設置される店舗での商取引で使用可能な紙幣のうち、最も高額な紙幣である高額紙幣（例えば、１万円札）が収納され、他方の第１の紙収納部５ａには、商品券が収納される。
【００１６】
第１の紙収納部５ａは、詳細には、底壁（底部）５ｂと、この底壁５ｂの周縁部から上方へ延在した周壁５ｃを有している。そして、マネーケース５内部は、底壁５ｂに立設された仕切り壁５ｄによって前後に２分割されている。また、マネーケース５の内部において前後に２分割された部分のうちの前部は、仕切り壁５ｅによって左右に２分割されている。仕切り壁５ｅは、底壁５ｂに立設されて第１のドロワ３の開閉方向に沿って延在している。この仕切り壁５ｅによって左右に２分割された各部分が、第１の紙収納部５ａとなっている。つまり、第１の紙収納部５ａの底部としての底壁５ｆは、マネーケース５の底壁５ｂによって構成され、第１の紙収納部５ａの周壁５ｇは、マネーケース５の周壁５ｃ、仕切り壁５ｄ，５ｅによって構成されている。周壁５ｇは、第１の紙収納部５ａにおいて底壁５ｆから上方に延在した壁である。このように、第１の紙収納部５ａは、仕切り壁５ｅによって相互に仕切られて第１のドロワ３の幅方向に並んで複数設けられている。第１の紙収納部５ａは、硬貨収納部４ａの下方に位置する。そして、複数の第１の紙収納部５ａは、複数の硬貨収納ケース４によって覆われる。ここで、仕切り壁５ｄ，５ｅは、別の言い方をするとリブであり、マネーケース５の剛性を高めている。
【００１７】
仕切り壁５ｄは、３個のうちの一番後に位置する硬貨収納ケース４の後端部と当接してこの硬貨収納ケース４の位置決めを行う。また、周壁５ｃのうちの前部（前壁）は、３個のうちの一番前に位置する硬貨収納ケース４の前端部と当接してこの硬貨収納ケース４の位置決めを行う。なお、３個のうちの真ん中に位置する硬貨収納ケース４は、その前後の硬貨収納ケース４と当接して位置決めされる。
【００１８】
また、マネーケース５の内部において前後に２分割された部分のうちの後部には、棒金を収納する棒金収納部５ｈが設けられている。また、マネーケース５の周壁５ｃの左右の上縁部には、硬貨収納ケース４のフランジ４ｂを支持する支持部５ｉが設けられている。この支持部５ｉによって、マネーケース５は、その上部に硬貨収納ケース４を着脱可能に装着する。
【００１９】
図１３に示すように、紙幣トレイ６は、紙媒介物として紙幣等を収納可能な複数（具体的には２個）の第２の紙収納部６ａを有する。第２の紙収納部６ａは、上方に開口している。本実施形態では、例えば、一方の第２の紙収納部６ａには、ドロワ装置１が設置される店舗での商取引で使用可能な紙幣のうち、高額紙幣ではない紙幣（例えば、５千円札や２千円札）が収納され、他方の第２の紙収納部６ａには、高額紙幣ではない他の紙幣（例えば、１千円札）が収納される。
【００２０】
紙幣トレイ６は、詳細には、底部である底壁６ｂと、前壁６ｃと、左右一対の第１の側壁６ｄと、左右一対の第２の側壁６ｅと、後壁６ｆと、を有して、上方に開口している。前壁６ｃは、底壁６ｂの前端部に接続されている。左右一対の第１の側壁６ｄは、底壁６ｂの左右端部に立設されて、前壁６ｃに接続されている。左右一対の第２の側壁６ｅは、底壁６ｂの左右端部に立設されて、左右一対の第１の側壁６ｄの後端部に連設されている。後壁６ｆは、底壁６ｂの後端部に立設されている。第２の側壁６ｅは、第１の側壁６ｄに比較して高さが低くなっている。また、左右一対の第２の側壁６ｅ間の幅は、左右一対の第１の側壁６ｄの幅よりも小さくなっている。かかる構造によって、紙幣トレイ６の後部には、左右一対の第１の側壁６ｄを含む部分に対して、高さおよび幅が小さい係合部６ｉが構成されている。別の言い方をすると、第１の側壁６ｄが、第２の側壁６ｅに比較して高さが高い。このようにすることで、第２の紙収納部６ａは、紙幣トレイ６の開放時に第２の紙収納部６ａへの視線を遮る機能を有する。
【００２１】
そして、紙幣トレイ６の内部は、底壁６ｂに立設された仕切り壁６ｇによって左右に２分割されている。この仕切り壁６ｇによって左右に２分割された各部分が第２の紙収納部６ａとなっている。つまり、第２の紙収納部６ａは、仕切り壁６ｇによって相互に仕切られて第１のドロワ３の幅方向に並んで複数設けられている。また、紙幣トレイ６の後壁６ｆには、支持部６ｈが設けられており、この支持部６ｈに、軸１０（図８参照）が設けられている。第２の紙収納部６ａは、第１の紙収納部５ａの下方に位置する。つまり、紙幣トレイ６の少なくとも一部は、マネーケース５の下方に位置し、紙幣トレイ６は、マネーケース５に上下方向で重なる位置に位置する。
【００２２】
図１４に示すように、キャッシュボックス８は、底壁８ａと、左右一対の側壁８ｂと、後壁８ｃと、を有して、上方および前方に開口している。左右一対の側壁８ｂは、底壁８ａの左右の端部に立設されている。後壁８ｃは、有段構造に形成されて、底壁８ａの後端部に立設されている。
【００２３】
キャッシュボックス８の後端部には、後壁８ｃと底壁８ａとに亘って開口８ｄが設けられている。この開口８ｄは、紙幣トレイ６の支持部６ｈおよび軸１０が通過可能な大きさに形成されている。そして、左右一対の側壁８ｂは、前後に延在した係合部８ｅが設けられ、この係合部８ｅがレール２ｆにスライド可能に支持されている。係合部８ｅの後端部には、係止部８ｆが設けられており、この係止部８ｆが、レール２ｆの前端部に設けられたストッパ部２ｇ（図１０参照）に係止されることで、開放された第１のドロワ３がキャビネット２から脱落するのが規制されるようになっている。
【００２４】
このキャッシュボックス８は、上述したとおり、上部にマネーケース５が固定されて、装着部７を構成している（図４参照）。キャッシュボックス８に対するマネーケース５の固定は、例えば、嵌合や接着、ねじ止め、一体成形などの固定手段によってなされる。
【００２５】
装着部７は、図４等に示すように、紙幣トレイ６を、マネーケース５と底壁（底部）８ａとの間に開閉可能に装着している。装着部７（キャッシュボックス８）の底壁８ａに紙幣トレイ６が載置される。そして、底壁８ａとマネーケース５とで紙幣トレイ６の係合部６ｉを挟むことで、紙幣トレイ６を支持して、紙幣トレイ６が規定以上に傾斜することを規制する（図５参照）。また、キャッシュボックス８の側壁８ｂとマネーケース５との間には、紙幣トレイ６の第１の側壁６ｄが挿入される。また、マネーケース５の底壁５ｂの下面に凸設された規制部としてのストッパ５ｊ（図６参照）が、開放された紙幣トレイ６の後壁６ｆの内面を係止するようになっている。このストッパ５ｊによって、装着部７では、開放された紙幣トレイ６の装着部７からの脱落を規制している。
【００２６】
以上の構成のドロワ装置１において、ホスト装置からの開信号を受けた場合、アクチュエータに駆動された可動フックが軸１０から離脱し、コイルばね１１が第１のドロワ３をキャビネット２から押し出して、第１のドロワ３が開放される（図２）。これにより、硬貨収納部４ａが露出するので、使用者による硬貨収納部４ａに対する硬貨の出し入れが可能となる。そして、この状態で、使用者が紙幣トレイ６の前壁６ｃを掴んで紙幣トレイ６を開方向に引き出すことで、紙幣トレイ６が開放され、第２の紙収納部６ａが露出する（図４）。これにより、使用者による第２の紙収納部６ａに対する紙幣の出し入れが可能となる。この際、紙幣トレイ６の開閉に関わらず、硬貨収納ケース４をマネーケース５から取り外すことで、第１の紙収納部５ａが露出する（例えば図３）。これにより、使用者による第１の紙収納部５ａに対する紙幣や商品券の出し入れが可能となる。このように、本実施形態では、硬貨収納部４ａ、第１の紙収納部５ａおよび第２の紙収納部６ａは、相互に相対移動可能となっている。
【００２７】
次に、上記状態から、使用者によって紙幣トレイ６の前壁６ｃが閉方向に押されると、紙幣トレイ６が装着部７に入り込んで閉状態となる。そして、更に紙幣トレイ６の前壁６ｃが閉じ方向に押されると、装着部７（キャッシュボックス８）の前端が紙幣トレイ６の前壁６ｃの後面に押され、最終的に、第１のドロワ３がキャビネット２に収納されて、第１のドロワ３と紙幣トレイ６とが閉状態でロックされる。このように、装着部７に対する紙幣トレイ６の収納とキャッシュボックス８に対する第１のドロワ３の収納とを一度の操作で行うことが可能となっている。
【００２８】
以上、説明したとおり、本実施形態では、硬貨収納部４ａの下方に第１の紙収納部５ａが位置し、第１の紙収納部５ａの下方に第２の紙収納部６ａが位置する。つまり、硬貨や紙幣、商品券等の商取引の決済に使用される媒介物を収納する収納部が、上下３段で設けられている。よって、収納部が２段以下の構造に比べて、硬貨や紙幣の収納量を減らすことなく、ドロワ装置１の設置面積を小さくすることができる。
【００２９】
また、本実施形態では、硬貨収納部４ａ、第１の紙収納部５ａおよび第２の紙収納部６ａは、上方に開口しているとともに、相互に相対移動可能となっている。したがって、それら硬貨収納部４ａ、第１の紙収納部５ａおよび第２の紙収納部６ａに、比較的容易に、硬貨や紙幣、商品券等を出し入れすることができる。
【００３０】
また、本実施形態では、装着部７が、紙幣トレイ６を、マネーケース５と底壁８ａとの間に開閉可能に装着している。したがって、紙幣トレイ６を開放することで、比較的容易に紙幣トレイ６に紙幣等を出し入れすることができる。また、紙幣トレイ６を使用しない場合には、紙幣トレイ６を閉じた状態にしておくことで、第２の紙収納部６ａに収納した紙幣等が客の目に触れることを抑制して防犯性を高めることができる。
【００３１】
また、本実施形態では、マネーケース５は、複数の第１の紙収納部５ａを有し、硬貨収納ケース４は、複数の硬貨収納部４ａを有し、紙幣トレイ６は、複数の第２の紙収納部６ａを有する。したがって、複数種類の硬貨や紙幣を金種別に収納することができる。
【００３２】
また、本実施形態では、複数の硬貨収納ケース４によって複数の第１の紙収納部５ａが覆われる。したがって、第１の紙収納部５ａに収納した紙幣や商品券等が客の目に触れることを抑制して防犯性を高めることができる。
【００３３】
（第２の実施形態）
次に、第２の実施形態を図１５および図１６を参照して説明する。
【００３４】
図１５に示すように、本実施形態では、硬貨収納ケース４Ａは、２個設けられている。各硬貨収納ケース４Ａは、３個の硬貨収納部４ａを有する。
【００３５】
図１６に示すように、本実施形態のマネーケース５Ａでは、複数（具体的には２個）の第１の紙収納部５ａが、第１のドロワ３の開閉方向に並べて設けられている。これらの第１の紙収納部５ａは、第１のドロワ３の幅方向に沿って延在した仕切り壁５ｅＡによって相互に仕切られている。これらの各第１の紙収納部５ａは、それぞれ１個の硬貨収納ケース４によって上方を覆われている。
【００３６】
以上の構成の本実施形態でも、硬貨収納部４ａの下方に第１の紙収納部５ａが位置し、第１の紙収納部５ａの下方に第２の紙収納部６ａが位置する。つまり、硬貨や紙幣、商品券等の商取引の決済に使用される媒介物を収納する収納部が上下３段で設けられている。よって、収納部が２段以下の構造に比べて、硬貨や紙幣の収納量を減らすことなく、ドロワ装置１の設置面積を小さくすることができる。
【００３７】
また、本実施形態では、一つの硬貨収納ケース４を取り外してその下方の第１の紙収納部５ａを露出させて当該第１の紙収納部５ａに紙媒介物を出し入れする場合であっても、他の第１の紙収納部５ａは他の硬貨収納ケース４によって上方を覆われている。したがって、他の第１の紙収納部５ａに収納されている紙幣や商品券が客の目に触れることを抑制して防犯性を高めることができる。
【００３８】
以上説明したとおり、上記の各実施形態によれば、ドロワ装置１の設置面積を小さくすることができる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１…ドロワ装置
２…キャビネット
３…第１のドロワ
４，４Ａ…硬貨収納ケース（硬貨収納部材）
４ａ…硬貨収納部
５，５Ａ…マネーケース（紙収納部材）
５ａ…第１の紙収納部
６…紙幣トレイ（第２のドロワ）
６ａ…第２の紙収納部
７…装着部
【先行技術文献】
【特許文献】
【００４１】
【特許文献１】特開平１１−８６１３３号公報
【図１】
0005520267.tif 000002
【図２】
0005520267.tif 000003
【図３】
0005520267.tif 000004
【図４】
0005520267.tif 000005
【図５】
0005520267.tif 000006
【図６】
0005520267.tif 000007
【図７】
0005520267.tif 000008
【図８】
0005520267.tif 000009
【図９】
0005520267.tif 000010
【図１０】
0005520267.tif 000011
【図１１】
0005520267.tif 000012
【図１２】
0005520267.tif 000013
【図１３】
0005520267.tif 000014
【図１４】
0005520267.tif 000015
【図１５】
0005520267.tif 000016
【図１６】
0005520267.tif 000017